(57)【要約】      （修正有）【課題】ダンボールの中の飲料缶等を自動販売機への移し替えを素早く行なう脱着式シューターを提供する。【解決手段】シューター用の資材は、アルミ板又は鋼板を使用し、Ａ１部の両側壁を内側に曲げた物と、溶接した物ともう１枚の板を半分に折り曲げた金属板Ａ２部をピンＡ３で連結した物を一体とし水平に置いた所で金属平板Ａ１に対して金属板Ａ２、９０度下側に折り曲げてダンボール箱の上部蓋の短い方の蓋を外側に折り曲げした部分の上に差し込んで固定し確認の上使用する。【選択図】図２
0003149486.tif 000002
【実用新案登録請求の範囲】
【請求項１】
一枚の金属板を折り曲げて丸くなった背の部分にピンを入れ、又二ケ所をくり抜き蝶番部とし、他の金属平板の両側面に前方に傾斜する側壁を取付けるスベリ台であり前記金属平板の端部に二ケ所を残して折り曲げた二ケ所の穴部に前記ピンを差し込んでヒンジ結合させて成る脱着式シューター。
【考案の詳細な説明】
【技術分野】
【０００１】  本考案は自動販売機に飲料缶等ドリンク類（以下容器入飲料とする）をダンボール箱より素早く移し替える事が出来、作業能率を大幅に向上させる事が出来るシューターに関する。
【背景技術】
【０００２】  街中に多数設置されている自動販売機に缶入りジュースや缶入りビールその他、容器に入ったドリンク類は自販機で販売されるケースが多い中で自販機を設置した業者は定期的に点検し、補充しなければならない。
従来、容器入り飲料を補充する場合、運搬車からダンボール製の収納箱に収容された容器入り飲料（１ケース内２４缶〜３０缶）を台車に載せて運び、自販機に１缶づつ取出して自販機へ補充している。
【考案の開示】
【考案を解決しようとする課題】
【０００３】  ダンボール製の収納箱容器入り飲料を自動販売機に補充する場合、運搬車を運転し運搬も兼ね作業者自身が収納箱から手作業により補充する事が多い。又、ビルの中にある各フロアーに設置された自販機に補充する収納箱を抱えて運ぶ事もあり、１缶づつの手作業をしなければならない。この様な容器入り飲料の補充作業は非常に疲労の溜まるかなりきつい作業と成り人手不足となりがちでもある。作業量は販売機への移し替えの出来る台数には限界があり、設置台数が多ければ多い程作業員の増員が必要になる。
【課題を解決するための手段】
【０００４】  本考案は何処の場所であってもダンボール製収納箱に詰められた飲料缶等を、自動販売機に補充している場所は市街、市外、近郊、田舎と様々な場所に設置されて近く、遠くと広域に広がっている所をくまなく補充しなければならなく、作業そのものは単純でしかも時間が掛かりすぎその時間を少しでも短縮し楽な方法で出来る物をと考える事が解決する手段としシューターを考案した。一枚の金属板で軽くて丈夫なシューター、一枚の金属板の中心線の位置に当たる所を二枚重ねに成るくらいまで折り曲げて置き、その板巾よりちょっと長目のピンを中心線に添え押さえてさらにピンに張付く位まで折曲げを加えてそこで一度ピンを引き抜き、丸くなった板の背を２〜３箇所くり抜き、終わったらもう一度ピンを差込み、蝶番の代わりとし、もう片方の別の金属板を前方向に傾斜している両側面に側壁を取付け、又は溶接してスベリ台とし傾斜の上端の平面部に突起部を２箇所残し二枚重ね、板のくり抜いた部所２箇所の穴に差込んでピンに巻き付けてヒンヂ結合したシューターであるが時代の変化に応じプラスチック製も考慮し、出来上がったシューターは脱着が容易で素早く対応が出来やっているつまらない単純な作業が、早く終了し自分の余暇の時間を持つことが次の仕事の意欲が湧いてきて又明日も頑張ろうと云うことになる。
【考案の効果】
【０００５】  段ボール箱に収納されている缶入飲料等を自動販売機に素早く移し替える事が出来事が目的であり作業員の労働力の削減、作業員の労働時間の短縮と体力的にも余裕が生まれ経済効果も大きくなる。
【考案の実施するための最良の形態】
【０００６】  ダンボール箱に取付けて使用するシューターは軽くて丈夫な物であるがダンボール箱の蓋を開けたら一瞬に装着が可能で装着が終わったらダンボールを持ち上げて自動販売機の所定の箇所に向けて傾斜させると飲料缶等の自重に依り上層部より順に転がり販売機の方へ移し替えが始まり十数秒で一箱分の作業が終了する。
【実施例】
【０００７】  以下添付図に従って説明する。
（図１）のシューター用の資材は金属板を使用し曲げ加工及び側壁の溶接の二通りでスベリ台とダンボール箱に取付け固定する部分から成りとてもシンプルな形である。手に持って確認して使い易く便利な物だと言える。
（図２）実際にシューターをダンボール箱に取り付けて自動販売機の入り口の高さまで飲料缶の入ったダンボール箱を持ち上げてシューターの出口側を固定し箱の底を上げる事に依って箱の上層部より順に缶の自重に依り入口の方に転がって行き、移し替えが見事に十数秒間で終了する。今まで一缶づつ手作業での移し替えるのとは雲泥の差であり作業員にとっては信じがたい物と思われる。
（図３）は（図１）の分解でＡ２の金属板を折り曲げした板にピンを内側に添えた所にＡ１の２ヶ所の突起部をＡ２の穴部に差し込んで巻きつけ連結すると（図１）のシューターと成る。
【図面の簡単な説明】
【０００８】
【図１】  本考案の斜視図
【図２】  シューター取付図
【図３】  分離図
【符号の説明】
【０００９】  Ａ１  金属平板
Ａ２  金属板
Ａ３  ピン
【図１】
0003149486.tif 000003
【図２】
0003149486.tif 000004
【図３】
0003149486.tif 000005
【手続補正書】
【提出日】平成20年11月12日(2008.11.12)
【手続補正１】
【補正対象書類名】実用新案登録請求の範囲
【補正対象項目名】全文
【補正方法】変更
【補正の内容】
【実用新案登録請求の範囲】
【請求項１】
１枚の金属板を折り曲げて二重になった背の部分を二箇所をくり抜き、この丸くなった背の内部にピンを挿入すると共に他の両側面に前方に傾斜する側壁を有するスベリ台となる金属平板の端部に二箇所の突出部をもうけ、この突出部を丸めて前記２箇所のくり抜いた箇所の露出するピンに巻き付けてヒンジ結合させて成る脱着式シューター。
【手続補正２】
【補正対象書類名】明細書
【補正対象項目名】０００４
【補正方法】変更
【補正の内容】
【０００４】  本考案は何処の場所であってもダンボール製収納箱に詰められた飲料缶等を、自動販売機に補充している場所は市街、市外、近郊、田舎と様々な場所に設置されて近く、遠くと広域に広がっている所をくまなく補充しなければならなく、作業そのものは単純でしかも時間が掛かりすぎその時間を少しでも短縮し楽な方法で出来る物をと考える事が解決する手段としシューターを考案した。一枚の金属板で軽くて丈夫なシューター、一枚の金属板の中心線の位置に当たる所を二枚重ねに成るくらいまで折り曲げて置き、その板巾より一寸長目のピンを中心線に添え押さえてさらにピンに張付く位まで折曲げを加えてそこで一度ピンを引き抜き、丸くなった板の背を２箇所くり抜き、終わったらもう一度ピンを差込み、蝶番の代わりとし、もう片方の別の金属板を前方向に傾斜している両側面に側壁を取付け、又は溶接してスベリ台とし傾斜の上端の平面部に突起部を２箇所残し、他金属板のくり抜いた部所２箇所の穴に差込んでピンに巻き付けてヒンヂ結合したシューターであるが、時代の変化に応じプラスチック製も考慮し、出来上がったシューターは脱着が容易で素早く対応が出来やっているつまらない単純な作業が、早く終了し自分の余暇の時間を持つことが次の仕事の意欲が湧いてきて又明日も頑張ろうと云うことになる。
【手続補正３】
【補正対象書類名】明細書
【補正対象項目名】０００７
【補正方法】変更
【補正の内容】
【０００７】  以下添付図に従って説明する。シューター用の資材はアルミ板又は鋼板を使用しＡ１部の両側壁を内側に曲げた物と、溶接した物ともう１枚の板を半分に折り曲げたＡ２部をピンＡ３で連結した物を一体とし水平に置いた所でＡ１に対してＡ２、９０度下側に折り曲げてダンボール箱の上部蓋の短い方の蓋を外側に折り曲げした部分の上ら差し込んで固定し確認の上使用する。
【手続補正４】
【補正対象書類名】図面
【補正対象項目名】全図
【補正方法】変更
【補正の内容】
【図１】
0003149486.tif 000006
【図２】
0003149486.tif 000007
【図３】
0003149486.tif 000008